(57)【要約】【課題】  簡易な構成で，異常停止時の転写装置の汚れを防止できる画像形成装置を提供すること。【解決手段】  本発明の画像形成装置は，トナー像を担持して回転する像担持体１４と，像担持体１４とともに転写箇所を構成し回転する転写ローラ１２とを有し，像担持体１４と転写ローラ１２とが接触する通常状態と，これらが離間する離間状態との切り替えが可能な画像形成装置であって，像担持体１４と転写ローラ１２との通常状態における接触を防止するスペーサ部材２０と，スペーサ部材２０の先端部２２を像担持体１４と転写ローラ１２との接触箇所へ突入させるバネ２４とを有し，先端部２２は，通常状態で像担持体１４または転写ローラ１２が回転することにより，像担持体１４と転写ローラ１２との間から排除される。【選択図】            図２
2005134526.tif 000002
【特許請求の範囲】
【請求項１】
トナー像を担持して回転する像担持体と，前記像担持体とともに転写箇所を構成し回転する転写部材とを有し，前記像担持体と前記転写部材とが接触する通常状態と，これらが離間する離間状態との切り替えが可能であり，通常状態にて転写箇所へ記録媒体を通すことにより記録媒体上に画像を形成する画像形成装置において，
前記像担持体と前記転写部材との通常状態における接触を防止する接触防止部材と，
前記接触防止部材の先端を前記像担持体と前記転写部材との接触箇所へ突入させる突入手段とを有し，
前記接触防止部材は，通常状態で前記像担持体または前記転写部材が回転することにより，前記像担持体と前記転写部材との間から排除されるものであることを特徴とする画像形成装置。
【請求項２】
請求項１に記載する画像形成装置において，
通常状態では，前記接触防止部材が前記像担持体と前記転写部材とのうち短い方の端面に接触しており，
離間状態では，前記突入手段の付勢により前記接触防止部材が前記像担持体と前記転写部材との間に突入し，
離間状態から通常状態に戻すと，前記接触防止部材により前記像担持体と前記転写部材との接触が防止された状態となり，
前記像担持体または前記転写部材を回転させることにより前記接触防止部材が前記像担持体と前記転写部材との間から排除されることを特徴とする画像形成装置。
【請求項３】
請求項１または請求項２に記載する画像形成装置において，
前記接触防止部材には，先端に近いほど厚さまたは径が小さい傾斜区間が形成されており，
前記突入手段により前記接触防止部材が前記像担持体と前記転写部材との接触箇所へ突入させられた状態では，前記像担持体と前記転写部材とのうち少なくとも一方の端部が前記接触防止部材の傾斜区間上に位置することを特徴とする画像形成装置。
【請求項４】
請求項３に記載する画像形成装置において，
前記接触防止部材の後方側に位置するとともに前記接触防止部材を突入方向に移動可能に支持する支持軸と，
前記支持軸に設けられたピンとを有し，
前記接触防止部材には前記ピンとともに突入方向の移動範囲を規制するスリットが形成されていることを特徴とする画像形成装置。
【請求項５】
請求項１から請求項４までのいずれか１つに記載する画像形成装置において，
外装体の一部であるとともに開閉可能であり，前記転写部材を保持する開閉扉を有し，
前記開閉扉の開閉により，通常状態と離間状態とが切り替えられることを特徴とする画像形成装置。
【請求項６】
請求項１または請求項２に記載する画像形成装置において，
前記接触防止部材は，軸周りに回転する扇形の部材であることを特徴とする画像形成装置。
【発明の詳細な説明】
【技術分野】
【０００１】
本発明は，コピー機，プリンタ等の画像形成装置に関する。さらに詳細には，像担持体と転写部材との間が離間可能にされている画像形成装置に関するものである。
【背景技術】
【０００２】
従来，トナーによる画像形成を行う画像形成装置では，像担持体上に形成されたトナー像が転写装置によって用紙に転写され，定着装置によって定着されることにより画像形成される。ところが，用紙のジャム等の異常によって装置の緊急停止が行われたときには，転写されなかったトナーが像担持体上に残ったままとなる場合がある。この状態のまま装置を再スタートすると，像担持体上に残っていたトナーがウォームアップ時等に転写部材に付着するおそれがある。このようになると，その後の画像形成時に用紙が裏汚れするという問題があった。
【０００３】
これに対して，用紙のジャム等の異常が発生したときには，カムによって２次転写ローラが中間転写ベルトから離間する画像形成装置が提案されている（例えば，特許文献１参照。）。この画像形成装置によれば，異常が発生した場合にはしばらくの間，２次転写ローラが中間転写ベルトに接触しないようにして，中間転写ベルトに残されたトナーによって２次転写ローラが汚れることが防止されている。
あるいは，転写ローラの両端をソレノイドで支持し，そのソレノイドによって，異常時には転写ローラを感光体から離間させる画像形成装置も提案されている（例えば，特許文献２参照。）。
【特許文献１】特開２００１−９２２７１号公報（第４−５頁，第３図）
【特許文献２】特開平８−６２９９４号公報（第４−５頁）
【発明の開示】
【発明が解決しようとする課題】
【０００４】
しかしながら，前記した従来の画像形成装置は，いずれも，カムやソレノイド等の動力によって転写装置を移動させ，像担持体に対して離間させるものである。そのため，必要に応じて圧接あるいは離間させるための駆動源や制御手段等が必要となる。そのため，装置が複雑化かつ大型化し，さらにはコストアップにも繋がるという問題点があった。
【０００５】
本発明は，前記した従来の画像形成装置が有する問題点を解決するためになされたものである。すなわちその課題とするところは，簡易な構成で，異常停止時の転写装置の汚れを防止できる画像形成装置を提供することにある。
【課題を解決するための手段】
【０００６】
この課題の解決を目的としてなされた本発明の画像形成装置は，トナー像を担持して回転する像担持体と，像担持体とともに転写箇所を構成し回転する転写部材とを有し，像担持体と転写部材とが接触する通常状態と，これらが離間する離間状態との切り替えが可能であり，通常状態にて転写箇所へ記録媒体を通すことにより記録媒体上に画像を形成する画像形成装置であって，像担持体と転写部材との通常状態における接触を防止する接触防止部材と，接触防止部材の先端を像担持体と転写部材との接触箇所へ突入させる突入手段とを有し，接触防止部材は，通常状態で像担持体または転写部材が回転することにより，像担持体と転写部材との間から排除されるものである。
【０００７】
本発明の画像形成装置は，像担持体と転写部材とは接触あるいは離間の切り替えが可能なものである。ここで，本発明によればさらに，接触防止部材と突入手段とを有するので，接触防止部材の先端が像担持体と転写部材との接触箇所へ突入手段によって突入される。従って，接触防止部材によって像担持体と転写部材との通常状態における接触が防止される。例えば，ジャム等の異常を処理する時には像担持体と転写部材とが一旦離間されるので，そのときに接触防止部材が突入されれば，異常処理後すぐの通常状態では像担持体と転写部材との接触が防止される。従って，異常停止時に像担持体にトナーが残っていた場合でも，転写部材に付着するおそれはない。さらに，接触防止部材は，像担持体または転写部材の回転によりそれらの間から排除されるので，ウォームアップ時の駆動等により像担持体と転写部材とは通常の接触状態へ戻される。また一般に，この間に像担持体はクリーニングされる。すなわち，異常処理後に転写部材を移動させる特別な移動手段を必要としないので簡易な構成であり，異常停止時の転写装置の汚れを防止できる画像形成装置となっている。
【０００８】
さらに本発明では，通常状態では，接触防止部材が像担持体と転写部材とのうち短い方の端面に接触しており，離間状態では，突入手段の付勢により接触防止部材が像担持体と転写部材との間に突入し，離間状態から通常状態に戻すと，接触防止部材により像担持体と転写部材との接触が防止された状態となり，像担持体または転写部材を回転させることにより接触防止部材が像担持体と転写部材との間から排除されることが望ましい。
このようにすれば，接触防止部材は，通常状態では像担持体と転写部材との接触を妨げることなく，離間状態とされたときにそれらの間に突入される。そのままで通常状態へと戻されることで像担持体と転写部材との接触が防止されるので，像担持体に残るトナーが転写部材に付着することはない。さらに，ウォームアップ時等には像担持体または転写部材が回転されるので，その間に接触防止部材が排除され，以後は像担持体と転写部材とは通常の接触状態とされる。
【０００９】
さらに本発明では，接触防止部材には，先端に近いほど厚さまたは径が小さい傾斜区間が形成されており，突入手段により接触防止部材が像担持体と転写部材との接触箇所へ突入させられた状態では，像担持体と転写部材とのうち少なくとも一方の端部が接触防止部材の傾斜区間上に位置することが望ましい。
このようにすれば，像担持体または転写部材の回転により傾斜区間へ加えられる摩擦力により，接触防止部材はこれらの間から排除される。
【００１０】
さらに本発明では，接触防止部材の後方側に位置するとともに接触防止部材を突入方向に移動可能に支持する支持軸と，支持軸に設けられたピンとを有し，接触防止部材にはピンとともに突入方向の移動範囲を規制するスリットが形成されていることが望ましい。
このようにすれば，離間状態での接触防止部材の突入方向が支持軸によって規制されるとともに，突入の移動範囲がピンとスリットとによって規制される。
【００１１】
さらに本発明では，外装体の一部であるとともに開閉可能であり，転写部材を保持する開閉扉を有し，開閉扉の開閉により，通常状態と離間状態とが切り替えられることが望ましい。
異常発生時には一般に，ユーザが開閉扉を開放して異常処理を行う。このとき，開閉扉に保持された転写部材は開閉扉とともに移動される。すなわち，異常発生時にはその処理のために離間状態とされるので，その間に接触防止部材が突入されることができる。
【００１２】
さらに本発明では，接触防止部材は，軸周りに回転する扇形の部材であってもよい。
このようにすれば，扇形の部材が像担持体と転写部材との間に突入されることによって，接触防止部材として機能できる。さらには，この扇形の部材が軸周りに回転されれば，像担持体と転写部材との間に部材のない部分が到達し，排除された状態となる。
【発明の効果】
【００１３】
本発明の画像形成装置によれば，簡易な構成で，異常停止時の転写装置の汚れを防止できる。
【発明を実施するための最良の形態】
【００１４】
「第１の形態」
以下，本発明を具体化した最良の形態について，添付図面を参照しつつ詳細に説明する。本形態は，大型プリンタあるいはコピー機等の比較的大型の画像形成装置に本発明を適用したものである。
【００１５】
本形態の画像形成装置１は，図１にその要部の概略を示すように，側面に開閉可能なドア１１を有している。転写ローラ１２は，ドア１１に取り付けられており，ドア１１の開閉によりドア１１とともに移動される。すなわち，この画像形成装置１では，ユーザによるドアの開閉動作により，転写ローラ１２が画像形成ユニット１３に対して離間可能とされているのである。画像形成ユニット１３は，像担持体１４の周囲にクリーナ装置１５，帯電装置１６，露光装置１７，現像装置１８が配置された一般的なものである。また，像担持体１４と転写ローラ１２との間には，用紙１９が搬送される。
【００１６】
この画像形成装置１を図１中上方から見ると，図２に示すように，像担持体１４と転写ローラ１２との両端部に，それぞれスペーサ部材２０，２０が設けられている。また，像担持体１４は，転写ローラ１２に比較して軸方向にやや長く形成されている。また，転写ローラ１２の両端部には，ピッチリング２１，２１が取り付けられている。このピッチリング２１，２１は，例えば発泡ローラあるいは弾性ローラによって形成された転写ローラ１２が，像担持体１４に押しつけられた際の食い込み量を規定するためのものである。そして，スペーサ部材２０，２０の先端部は，両端部のピッチリング２１，２１にそれぞれ当接されている。すなわちこの状態では，スペーサ部材２０，２０の先端部は，像担持体１４と転写ローラ１２とのうち短い方の端面に接触している。
【００１７】
各スペーサ部材２０は，図２，図３に示すように，先端部２２，支持軸２３，バネ２４，ピン２５を有している。先端部２２は，傾斜区間２２ａを有する略くさび形状の中空部材であり，中空部分に支持軸２３が挿入されている。また，先端部２２の外側面には支持軸２３の軸方向に所定長さのスリット２６が設けられている。支持軸２３は，その一端が先端部２２に挿入され，他端が画像形成ユニット１３または本体ケース等に固定されている。バネ２４は，支持軸２３に沿って設けられ，先端部２２を支持軸２３の先端へ向けて付勢している。ピン２５は，支持軸２３の先端に取り付けられるとともに，先端部２２のスリット２６内に位置している。これにより，スペーサ部材２０の先端部２２は，図４（ａ），（ｂ）に示すように，バネ２４を伸縮させることにより，支持軸２３の軸方向に所定距離だけ移動可能である。なお，図３では，その形状をわかりやすくするために，図２とは上下を逆にして示している。
【００１８】
また，このスペーサ部材２０は，図２に示すように，先端部２２の傾斜区間２２ａの斜面を転写ローラ１２の方に向けて，平面側を像担持体１４の方に向けて取り付けられている。そして，平面側が像担持体１４の外周面に接する位置に配置されている。図２に示した状態では，バネ２４は縮小され，スペーサ部材２０の先端部２２はその復元力によってピッチリング２１に押しつけられている。
【００１９】
この画像形成装置１によって画像形成される時には，像担持体１４は，図１中矢印の向きに回転される。そして，回転に従って，クリーナ装置１５によってクリーニングされ，帯電装置１６によって帯電され，露光装置１７によって静電潜像が形成され，現像装置１８によってトナーで現像される。図１では，黒丸によって模式的にトナーを示している。そして，像担持体１４と転写ローラ１２との間に供給された用紙１９に，転写ローラ１２によってトナーが転写される。
【００２０】
ここで，その画像形成中に用紙のジャム等の異常が発生すると画像形成動作は中断される。そして，ユーザはその詰まった用紙を取り出すためにドア１１を開放する。すると，図１中に２点鎖線で示したように，転写ローラ１２が像担持体１４と離間されてドア１１とともに外部へ移動する。このとき，スペーサ部材２０はドア１１とともに移動はしないので，スペーサ部材２０の先端部２２に対するピッチリング２１による圧接がなくなる。このため，図５に示すように，先端部２２はバネ２４の復元力によって中央方向へ突入される。その後，ジャム処理が終了してユーザがドア１１を閉めると，ドア１１とともに転写ローラ１２が元の位置に戻される。このとき，図６に示すように，像担持体１４と転写ローラ１２との間にスペーサ部材２０の先端部２２が挟まった状態となる。つまり，スペーサ部材２０の先端部２２によって，像担持体１４と転写ローラ１２との接触が防止される。
【００２１】
ここで，先端部２２の中央方向への突入の移動範囲は，ドア１１が閉められた状態で，図６に示すように，転写ローラ１２の端部が先端部２２の傾斜区間２２ａの斜面に当接する位置までである。すなわち，図４（ａ）に示したスペーサ部材２０が最も長くなった状態では，像担持体１４と転写ローラ１２とのいずれかの端部が傾斜区間２２ａ上に位置するようにされている。ここでは，その短い方である転写ローラ１２に当接することにより，像担持体１４と転写ローラ１２との間の空隙が必要以上に大きくされないので，転写ローラ１２の端部に無理な力が加わることはない。
【００２２】
さらに，ジャム処理が終了してドア１１が閉められることにより，画像形成装置１はウォームアップ動作を行い，像担持体１４と転写ローラ１２とが回転駆動される。すると，先端部２２の傾斜区間２２ａの斜面が転写ローラ１２に接していることから，回転駆動による摩擦力によって，先端部２２は，像担持体１４と転写ローラ１２との間から徐々に外側へ押し出される。すなわち，スペーサ部材２０は，バネ２４を縮めながら両端方向へ排除され，図２に示した配置に戻って停止される。さらに，ジャム発生時に像担持体１４に残っていたトナーは，ウォームアップ動作中にクリーナ装置１５によって回収されている。従ってウォームアップ終了時には，像担持体１４と転写ローラ１２とが通常の適切な圧接力によって圧接されて，正常な画像形成が可能な状態となっている。
【００２３】
すなわち，ジャム処理のためユーザがドア１１を開放することにより，像担持体１４と転写ローラ１２とが離間され，その間にスペーサ部材２０が突入される。その後，ドア１１が閉止されると，像担持体１４と転写ローラ１２によってスペーサ部材２０が挟み込まれる。つまり，像担持体１４と転写ローラ１２とは，ドア１１の閉止後すぐには接触しない。そして，画像形成装置１のウォームアップ動作により，像担持体１４上に残っていたトナーがクリーナ装置１５によって取り除かれるとともに，像担持体１４と転写ローラ１２との間からスペーサ部材２０が排除される。すなわち，像担持体１４がクリーニングされた後，像担持体１４と転写ローラ１２とは通常の圧接状態となる。従って，転写ローラ１２に残りトナーが付着することはなく，用紙の裏汚れもない。
【００２４】
なお，ここでは，スペーサ部材２０の支持軸２３を像担持体１４の軸方向に沿って設けているが，像担持体１４の軸方向に垂直な向き，あるいは斜め向き等に配置してもよい。この場合，像担持体１４と転写ローラ１２との回転の下流側から突入されるようにすれば，これらの間から確実に押し出されるようにできる。
また，あるいは，スペーサ部材２０の先端部２２の傾斜区間２２ａに，図７に示すように段差を設け，支持軸２３を揺動可能であるようにしてもよい。図７の例では，段差が設けられることによって，傾斜区間２２ａにさらに薄肉部２２ｂと厚肉部２２ｃとが設けられている。そして，先端部２２の先端に近いほど，厚肉部２２ｃの幅が狭くなっている。このようにすれば，像担持体１４と転写ローラ１２との回転によって，スペーサ部材２０は，その段差に沿って押し出されるので，さらに確実に排除される。
【００２５】
以上詳細に説明したように，本形態の画像形成装置１によれば，ジャム等の異常によって装置を停止した場合には，ユーザによってドア１１を開けられるので，像担持体１４と転写ローラ１２とが離間される。このとき，バネ２４の復元力によって，像担持体１４と転写ローラとの間にスペーサ部材２０の先端部２２が挟み込まれる。従って，ドアを閉めても転写ローラ１２は像担持体１４にすぐには接触せず，像担持体１４上にトナーが残っていても転写ローラ１２に付着するおそれはない。従って，簡易な構成で異常停止時の転写部材の汚れを防止でき，用紙の裏汚れを防止することができる。
【００２６】
「第２の形態」
以下，本発明を具体化した第２の形態について，添付図面を参照しつつ詳細に説明する。本形態は，小型プリンタ等の比較的小型の画像形成装置に本発明を適用したものである。第１の形態と共通する部分も多くあるので，共通の部材については同じ符号を付し，説明を省略する。
【００２７】
本形態の画像形成装置２は，図８に示すように，転写ローラ１２が画像形成ユニット１３の下方に設けられている。画像形成ユニット１３は，像担持体１４，クリーナ装置１５，帯電装置１６が一体化されて，着脱可能に取り付けられている。そのほかに，画像形成装置２は，露光装置１７，現像装置１８を備え，現像装置１８は着脱可能である。このような構成の画像形成装置２では，ジャム等の異常が発生した場合にユーザは，画像形成ユニット１３を図中上方へ取り外して用紙を除去する。
【００２８】
この画像形成装置２では，図９に示すように，像担持体１４の両端部にスペーサ部材３０を設けている。このスペーサ部材３０は，第１の形態のスペーサ部材２０と比較して，傾斜区間２２ａの斜面を像担持体１４の方に向け，支持軸２３の端部が揺動可能に取り付けられている。
【００２９】
この画像形成装置２でジャム等の異常が発生した場合，その処理のためにユーザが画像形成ユニット１３を取り外す。そうすると，スペーサ部材３０の先端部２２は，図１０（ａ）に示すように，像担持体１４と転写ローラ１２との間の位置へと突入される。ジャム処理後ユーザが画像形成ユニット１３を元に戻したとき，図１０（ｂ）に示すように，像担持体１４と転写ローラ１２との間にスペーサ部材３０の先端部２２が挟み込まれるので，像担持体１４と転写ローラ１２とがすぐには接触しない。このとき，先端部２２の傾斜区間２２ａの斜面は像担持体１４の端部に当接される。
ここでは，ジャム処理時に取り外される部材である像担持体１４の側に先端部２２の斜面側を向けることにより，図１０（ａ）に示した突入時には先端部２２の平面側がピッチリング２１に沿って移動される。これにより，支持軸２３を揺動可能としても先端部２２はスムーズに突入される。
【００３０】
その後，像担持体１４と転写ローラ１２とが回転駆動されることで，スペーサ部材３０の先端部２２はそれらの間から排除される。そして，先端部２２の先端がピッチリング２１より両端外側へ到達すると，支持軸２３が図中下方へ揺動されて図９に示すような配置に戻る。この間に，像担持体１４に残ったトナーはクリーニングされるので，トナーが転写ローラ１２に付着することは防止されている。以後は，像担持体１４と転写ローラ１２とは通常の圧接力で圧接され，正常な画像形成が可能である。
【００３１】
以上詳細に説明したように，本形態の画像形成装置２によれば，第１の形態の画像形成装置１と同様に，簡易な構成で異常停止時の転写部材の汚れを防止でき，用紙の裏汚れを防止することができる。
【００３２】
「第３の形態」
以下，本発明を具体化した第３の形態について，添付図面を参照しつつ説明する。本形態は，第１の形態に記載した大型の画像形成装置あるいは第２の形態に記載した小型の画像形成装置のいずれにも適用可能なスペーサ部材の先端部の他の形態である。第１の形態や第２の形態と共通する部分については同じ符号を付し，説明を省略する。
【００３３】
本形態のスペーサ部材では，図１１に示すように，傾斜区間４１ａが略円錐形状にされた先端部４１を有している。あるいは，図１２に示すように，傾斜区間４２ａが略円錐形状でその表面にらせん状のネジ溝または段差が形成されている先端部４２を有している。そして，これらの先端部４１，４２を支持軸２３の周囲に回転可能となるように取り付けたものである。このようにすれば，スペーサ部材２０，３０と同様に，像担持体１４と転写ローラ１２との間隔が大きくなったときにはその間に突入されて，それらの接触を防止する。さらに，像担持体１４と転写ローラ１２との回転駆動により回転しつつ排除される。
【００３４】
以上説明したように，本形態のスペーサ部材を有する画像形成装置によっても，第１の形態や第２の形態と同様に，簡易な構成で異常停止時の転写部材の汚れを防止でき，用紙の裏汚れを防止することができる。
【００３５】
「第４の形態」
以下，本発明を具体化した第４の形態について，添付図面を参照しつつ詳細に説明する。本形態は，第１の形態に記載した大型の画像形成装置あるいは第２の形態に記載した小型の画像形成装置のいずれにも適用可能なスペーサ部材の他の形態である。第１の形態や第２の形態と共通する部分については同じ符号を付し，説明を省略する。
【００３６】
本形態のスペーサ部材５０は，図１３に示すように，くさび形状の先端部５１と支持軸５２とおもり５３とが，２つの回動部５４，５５で回動可能に取り付けられている。さらに，先端部５１の回動角を規制する規制部材５６が，支持軸５２に取り付けられている。このスペーサ部材５０は，おもり５３に働く重力によって図に２点鎖線で示した位置へ向かって付勢されている。そして，先端部５１は，図中右方へ押し出されると規制部材５６に当接され，実線で示した配置となる。そこで，このスペーサ部材５０を，第１，第２の形態のスペーサ部材２０，３０と同様に，像担持体１４と転写ローラ１２との間に向かって付勢されるように配置する。
【００３７】
本形態のスペーサ部材５０を有する画像形成装置によっても，像担持体１４と転写ローラ１２との間が離間されたときには，おもり５３に働く重力によって先端部５１がその間に突入される。そして，像担持体１４あるいは転写ローラ１２がはめ込まれたときには，それらの接触が防止される。さらに，像担持体１４と転写ローラ１２との回転駆動により排除され，正常な画像形成が可能となる。なお，この構成においても，先端部５１に図７に示したような段差を設けたり，図１１，図１２に示したような円錐型の先端部としてもよい。
【００３８】
以上説明したように，本形態のスペーサ部材５０を有する画像形成装置によっても，第１の形態や第２の形態と同様に，簡易な構成で異常停止時の転写部材の汚れを防止でき，用紙の裏汚れを防止することができる。
【００３９】
「第５の形態」
以下，本発明を具体化した第５の形態について，添付図面を参照しつつ詳細に説明する。本形態は，第１の形態に記載した大型の画像形成装置あるいは第２の形態に記載した小型の画像形成装置のいずれにも適用可能なスペーサ部材の他の形態である。第１の形態や第２の形態と共通する部分については同じ符号を付し，説明を省略する。
【００４０】
本形態のスペーサ部材６０は，図１４に示すように，スペーサ板６１，バネ６２，回転軸６３を有している。スペーサ板６１は，一部の欠けた円板状すなわち扇形の部材であり，回転軸６３の周囲に回転可能にされている。バネ６２は，スペーサ板６１を図１４中時計回りに回転付勢しているものであり，回転軸６３に設けられてもよい。スペーサ板６１の切り欠きの大きさは，その間で像担持体１４と転写ローラ１２とが互いに当接できる程度の大きさにされている。また，切り欠き以外の回転位置では，スペーサ板６１は，像担持体１４と転写ローラ１２とによって挟まれて回転駆動されることにより，従動回転される。
【００４１】
このスペーサ部材６０では，バネ６２の自由状態でスペーサ板６１が像担持体１４に当接する位置と切り欠きの端部（像担持体１４と転写ローラ１２とがともにスペーサ板６１に当接しなくなる初めての位置）との間の角度は，図１５に示す角度ａよりやや大きく，角度ｂより小さくされている。ここで，角度ａは，像担持体１４の中心から見た現像装置１８と転写ローラ１２とのなす角であり，角度ｂは，像担持体１４の中心から見たクリーナ装置１５と転写ローラ１２とのなす角である。
【００４２】
このようにすれば，ジャム処理等のために像担持体１４と転写ローラ１２との間が離間されたとき，まずバネ６２の自由状態の位置までスペーサ板６１が回転される。そして，像担持体１４と転写ローラ１２とが元の位置に戻されると，それらの間にスペーサ板６１が挟まれる。そして，像担持体１４と転写ローラ１２とが回転駆動されると，スペーサ板６１も従動回転され，切り欠きの位置まで回転される。切り欠きの位置に到達すると，像担持体１４と転写ローラ１２とが当接され，スペーサ板６１はそれ以上回転されない。この間の回転角は，上記のように設定されているので，少なくとも現像装置１８でトナーが付着された可能性のある像担持体１４の部分は通り過ぎるまで回転された後，初めて像担持体１４と転写ローラ１２とが当接される。
【００４３】
以上説明したように，本形態のスペーサ部材６０を有する画像形成装置によっても，第１の形態や第２の形態と同様に，簡易な構成で異常停止時の転写部材の汚れを防止でき，用紙の裏汚れを防止することができる。
【００４４】
なお，本実施の形態は単なる例示にすぎず，本発明を何ら限定するものではない。したがって本発明は当然に，その要旨を逸脱しない範囲内で種々の改良，変形が可能である。
例えば，上記の各形態において，各スペーサ部材の先端部の形状は，これらに限るものではなく，先端へ向かって厚みが薄くあるいは径が小さくなっていればよい。
また例えば，上記の各形態では，いずれも像担持体１４と転写ローラ１２との間にスペーサ部材を突入させるとして説明したが，この間に限らず，転写箇所であればどこでも適用可能である。例えば，像担持体と用紙搬送ベルトとの間の転写箇所や，中間転写ベルトと２次転写ローラとの間の転写箇所等においても同様に実施できる。
また例えば，上記の第１の形態や第２の形態に示した画像形成装置の概略構成はいずれも一例であり，これらに限るものではない。ジャム処理等の際に像担持体と転写ローラとの間が一旦離間されるものであれば，どのような画像形成装置にも適用可能である。
【図面の簡単な説明】
【００４５】
【図１】本形態に係る画像形成装置の概略構成を示す断面図である。
【図２】スペーサ部材を示す説明図である。
【図３】スペーサ部材を示す斜視図である。
【図４】スペーサ部材を示す断面図である。
【図５】スペーサ部材の移動を示す説明図である。
【図６】スペーサ部材の移動を示す説明図である。
【図７】スペーサ部材の先端部を示す斜視図である。
【図８】第２の形態に係る画像形成装置の概略構成を示す断面図である。
【図９】スペーサ部材を示す説明図である。
【図１０】スペーサ部材の移動を示す説明図である。
【図１１】第３の形態に係るスペーサ部材の先端部を示す斜視図である。
【図１２】第３の形態に係るスペーサ部材の先端部を示す斜視図である。
【図１３】第４の形態に係るスペーサ部材を示す説明図である。
【図１４】第５の形態に係るスペーサ部材を示す斜視図である。
【図１５】第５の形態に係るスペーサ部材の回転角を示す説明図である。
【符号の説明】
【００４６】
１，２  画像形成装置
１２  転写ローラ（転写部材）
１４  像担持体
２２，４１，４２，５１  先端部（接触防止部材）
２２ａ，４１ａ，４２ａ  傾斜区間
２３  支持軸
２４，６２  バネ（突入手段）
２５  ピン
２６  スリット
５３  おもり（突入手段）
６１  スペーサ板（接触防止部材）
【図１】
2005134526.tif 000003
【図２】
2005134526.tif 000004
【図３】
2005134526.tif 000005
【図４】
2005134526.tif 000006
【図５】
2005134526.tif 000007
【図６】
2005134526.tif 000008
【図７】
2005134526.tif 000009
【図８】
2005134526.tif 000010
【図９】
2005134526.tif 000011
【図１０】
2005134526.tif 000012
【図１１】
2005134526.tif 000013
【図１２】
2005134526.tif 000014
【図１３】
2005134526.tif 000015
【図１４】
2005134526.tif 000016
【図１５】
2005134526.tif 000017